(57)【要約】【課題】環境を汚染することなく、組み立てが簡単で、コンパクトに構成できるダンボール梱包の緩衝材構造を提供する。【解決手段】ダンボール箱の内側面形状の外形を有する複数の内側面形状部１ａ、１ａ…が折り目１ｂ、１ｂ…を介して連続するように形成されたダンボールシート１の内側面形状部１ａ、１ａ…に製品と密嵌合する穴１ｃ、１ｃ…を設け、ダンボールシート１の内側面形状部１ａ、１ａ…を折り目１ｂ、１ｂ…により折り畳み、穴１ｃ、１ｃ…を製品と嵌合させると共にダンボール箱の両側面内部に配置して製品を支持させるように構成した。【選択図】        図１
2005096833.tif 000002
【特許請求の範囲】
【請求項１】
ダンボール箱の内側面形状の外形を有する複数の内側面形状部が折り目を介して連続するように形成されたダンボールシートの前記内側面形状部に製品と密嵌合する穴を設け、前記ダンボールシートの内側面形状部を前記折り目により折り畳み、前記穴を前記製品と嵌合させると共に前記ダンボール箱の両側面内部に配置して前記製品を支持させるように構成したダンボール梱包の緩衝材構造。
【請求項２】
ダンボール箱の内側水平面状の外形を有する複数の内側水平面形状部が折り目を介して連続するように形成されたダンボールシートの前記内側水平面形状部に製品と密嵌合する穴を設け、前記ダンボールシートの内側水平面形状部を前記折り目により折り畳み、前記穴を前記製品と嵌合させると共に前記ダンボール箱の内側上下に配置して前記製品を支持させるように構成したダンボール梱包の緩衝材構造。
【請求項３】
前記ダンボールシートの少なくとも一つの内側面形状部または内側水平面形状部に折り返し部を連接し、前記内側面形状部または内側水平面形状部を折り畳んだ状態で前記折り返し部を折曲げて前記折り返し部に設けた凸片を前記内側面形状部または内側水平面形状部に設けた凸片嵌合穴と嵌合させ前記ダンボールシートが折り畳まれた状態に固定されるように構成した請求項１または２のダンボール梱包の緩衝材構造。
【発明の詳細な説明】
【技術分野】
【０００１】
この発明はダンボール梱包の緩衝材構造に係わり、特に、環境汚染の問題がない緩衝材構造に関する。
【背景技術】
【０００２】
従来のダンボール梱包の緩衝材構造の例を図３により説明する。図３に示す右発泡材ブロック８および左発泡材ブロック９は発泡スチロール等で作られ製品３の側面と嵌合する凹みが形成されている。これらの右発泡材ブロック８および左発泡材ブロック９を製品３の側面と夫々嵌合させた状態で、図示していないダンボール箱の左右内面に面接触状態に収納して製品３がダンボール箱内に緩衝された状態で梱包される。上記のダンボール梱包の緩衝材構造では環境を汚染する発泡材が用いられているため、環境に優しい緩衝材構造が望まれていた。
【０００３】
図４に示す従来のダンボール梱包の緩衝材構造では、ＰＰ（ポリプロピレン）シートで成形された上成形シート１１と下成形シート１０を製品の上下に嵌合させて、上成形シート１１と下成形シート１０を図示していないダンボール箱の上下内面に面接触状態に収納して製品がダンボール箱内に緩衝された状態で梱包される。
【０００４】
上記のダンボール梱包の緩衝材構造では、薄いシート状の成型品で製品を支えるため、軽い製品を梱包することは可能であるが、重い製品を梱包する場合は強度不足となるという問題があった。また、燃焼させると、環境を汚染するガスを発生されるプラスチックが用いられているため、環境に優しい緩衝材構造が望まれていた。
【０００５】
図５に示す従来のダンボール梱包の緩衝材構造では、ダンボール材のみで構成される。先ず、図５（ａ）に示すように内側シート４と縦骨材シート５、５…が組み付けられる。すなわち、内側シート４は略Ｍ字状に折曲げられ、内側シート４および縦骨材シート５、５…に設けられた夫々のスリットを縦骨材シート５、５…および内側シート４と嵌合させて縦骨材シート５、５…が内側シート４と直交するように組立てられる。
【０００６】
このように組立てられた内側シート４および縦骨材シート５、５…を図５（ｂ）に示すように上下にロ字形を形成するように折曲げられた外側シート６の中に挿入し、外側シート６のスリット６ａ、６ａ…と内側シート４のスリット４ａ、４ａ…が重なった所に横骨材シート７、７…を嵌着し、させら、外側シート６の折曲げ部６ｂ、６ｂを横骨材シート７、７…を被せるように折曲げ、折曲げ部６ｂの先端部を中側に押し込む。図５（ｃ）に上記のようにして組み立てられた緩衝材を示す。
【０００７】
上記の組み立て式の緩衝材はダンボール材のみで構成されるため、環境を汚染することはないが、緩衝材を構成する部材の数が多く、組み立てが簡単ではない。また、間隔をおいて配置される骨材シートで製品を支えるため、製品を支える単位面積当たりの強度が不足し、広い受圧面積を必要とし、緩衝材の寸法が大きくなるという問題があった。
【０００８】
特開２００１−２４０１４１号公報に提案されたダンボール梱包の緩衝材構造はダンボール箱の側面を上部が開口する空間を有する２重壁構造とし、ダンボール箱の上部を閉じる蓋の折り返し部を上記空間に挿入する構成となっている。この緩衝材はダンボール材のみで構成されるため、環境を汚染することはないが、内部が直方体の壁面で囲まれており、直方体以外の形状の製品を不動状態に支持することが困難であった。
【特許文献１】特開平２００１−２４０１４１号公報、段落０００９〜段落００１４、図１〜図４
【発明の開示】
【発明が解決しようとする課題】
【０００９】
この発明は上記した点に鑑みてなされたものであって、その目的とするところは、環境を汚染することなく、組み立てが簡単で、コンパクトに構成できるダンボール梱包の緩衝材構造を提供することにある。
【課題を解決するための手段】
【００１０】
この発明のダンボール梱包の緩衝材構造は、ダンボール箱の内側面形状の外形を有する複数の内側面形状部が折り目を介して連続するように形成されたダンボールシートの前記内側面形状部に製品と密嵌合する穴を設け、前記ダンボールシートの内側面形状部を前記折り目により折り畳み、前記穴を前記製品と嵌合させると共に前記ダンボール箱の両側面内部に配置して前記製品を支持させるように構成したものである。
【００１１】
また、この発明のダンボール梱包の緩衝材構造は、ダンボール箱の内側水平面状の外形を有する複数の内側水平面形状部が折り目を介して連続するように形成されたダンボールシートの前記内側水平面形状部に製品と密嵌合する穴を設け、前記ダンボールシートの内側水平面形状部を前記折り目により折り畳み、前記穴を前記製品と嵌合させると共に前記ダンボール箱の内側上下に配置して前記製品を支持させるように構成したものである。
【００１２】
さらに、前記各ダンボール梱包の緩衝材構造において、前記ダンボールシートの少なくとも一つの内側面形状部または内側水平面形状部に折り返し部を連接し、前記内側面形状部または内側水平面形状部を折り畳んだ状態で前記折り返し部を折曲げて前記折り返し部に設けた凸片を前記内側面形状部または内側水平面形状部に設けた凸片嵌合穴と嵌合させ前記ダンボールシートが折り畳まれた状態に固定されるように構成したものである。
【発明の効果】
【００１３】
この発明のダンボール梱包の緩衝材構造によれば、梱包材は燃焼しても有害物質の発生しないダンボールのみで構成されているため、環境を汚染することがない。また、製品は密接状態に折り畳まれたダンホールで支えられるため、単位受圧面当たりの支持可能重量を大ききすることができ、干渉材をコンパクトに構成できる。また、緩衝材の組み立てが１枚シートのシートを折り曲げるだけですみ部品点数や組み立て工数が削減される。
【発明を実施するための最良の形態】
【００１４】
以下この発明を実施するための最良の形態を実施例に即して説明する。
【実施例１】
【００１５】
図１（ａ）はこの発明の実施例１のダンボール梱包の緩衝材構造に用いられるダンボールシートを示す斜視図、図１（ｂ）は同ダンボールシートが折り畳まれる状態を示す斜視図、図１（ｃ）は同ダンボールシートが折り畳まれた状態を示す斜視図である。
【００１６】
この緩衝材構造は図１（ａ）に示すダンボールシート１とこれと対称形状の図１（ｂ）に示すダンボールシート２との２枚のダンボールシートで構成される。図１（ａ）に示すダンボールシート１について説明し、ダンボールシート２の説明を省略する。
【００１７】
ダンボールシート１は図１（ａ）に示すように、内側面形状部１ａ、１ａ…が折り目１ｂ、１ｂ…を介して連なり、外側の内側面形状部１ａには折り目１ｂ、１ｂを介して折り返し部１ｄ、１ｄが連なった形状となっている。返し部１ｄ、１ｄの先端には折り目を介して凸片１ｅ、１ｅが連なっている。
【００１８】
複数の内側面形状部１ａ、１ａ…には製品と嵌合する穴１ｃ、１ｃ…が形成され、また、一部の内側面形状部１ａ、１ａ…には図に示すように凸片１ｅ、１ｅが挿入される凸片嵌合穴１ｆ、１ｆ…が設けられている。
【００１９】
内側面形状部１ａ、１ａ…は図１（ｂ）に示すように折り目１ｂ、１ｂ…により重なるように折り畳まれる。なお、折り目１ｂ、１ｂ…は型により溝を形成する方法またはミシン目により形成することができる。このように内側面形状部１ａ、１ａ…が折り畳まれた後、図１（ｃ）に示すように返し部１ｄ、１ｄの凸片１ｅ、１ｅを凸片嵌合穴１ｆ、１ｆに挿入することによりダンボールシート１が折り畳まれた状態に固定される。
【００２０】
図２に示すようにダンボールシート２も同様に折り畳まれ、返し部２ｄ、２ｄの凸片２ｅ、２ｅを凸片嵌合穴１ｆ、１ｆに挿入することによりダンボールシート２が折り畳まれた状態に固定される。
【００２１】
このように折り畳まれたダンボールシート１およびダンボールシート２の夫々の穴１ｃおよび２ｃが図２に示す製品３の左右の側面と嵌合され、図示していないダンボール箱の左右内面にダンボールシート１およびダンボールシート２が面接触状態となるように収納され製品３がダンボール箱内に緩衝された状態で梱包される。
【００２２】
このように梱包材は燃焼しても有害物質の発生しないダンボールのみで構成されているため、環境を汚染することがない。また、製品は密接状態に折り畳まれたダンホールで支えられるため、単位受圧面当たりの支持可能重量を大ききすることができ、干渉材をコンパクトに構成できる。
【００２３】
さらに、干渉材は２枚のダンボールシートを折り畳むだけで構成することができ、部品点数が少なくなり、さらに組み立てを簡単に行うことができる。
【００２４】
実施例は以上のように構成されているが発明はこれに限られず、例えば、ダンボールシートを折り畳んだ後固定することなく、そのまま製品と嵌合させてもよい。この場合は、ダンボールシートの穴を製品と密嵌合することによりダンボールシートは折り曲げ状態に固定される。
【００２５】
また、ダンボールシートにより製品の両側面を支持する代わりに製品の上下をダンボールシートの穴に嵌合させて製品をダンボール箱内に固定支持するようにしてもよい。
【図面の簡単な説明】
【００２６】
【図１】図１（ａ）はこの発明の実施例１のダンボール梱包の緩衝材構造に用いられるダンボールシートを示す斜視図、図１（ｂ）は同ダンボールシートが折り畳まれる状態を示す斜視図、図１（ｃ）は同ダンボールシートが折り畳まれた状態を示す斜視図である。
【図２】同ダンボールシートにより製品を支持する状態を説明するための分解斜視図である。
【図３】従来のダンボール梱包の緩衝材構造の例を示す分解斜視図である。
【図４】従来のダンボール梱包の緩衝材構造の他の例を示す分解斜視図である。
【図５】図５（ａ）は従来のダンボール梱包の緩衝材構造のさらに他の例における部材を示す斜視図、図５（ｂ）は同緩衝材構造における部材の組立て状態を示す斜視図、図５（ｃ）は同緩衝材構造における部材の組立て完了状態を示す斜視図である。
【符号の説明】
【００２７】
１  ダンボールシート、１ａ  内側面形状部、１ｂ  折り目、１ｃ  穴
１ｄ  返し部、１ｅ  凸片、１ｆ  凸片嵌合穴
２  ダンボールシート、２ｃ  穴、２ｄ  返し部、２ｅ  凸片
３  製品
４  内側シート、４ａ  スリット
５  縦骨材シート
６  外側シート、６ａ  スリット、６ｂ  折曲げ部
７  横骨材シート
８  右発泡材ブロック
９  左発泡材ブロック
１０  下成形シート
１１  上成形シート
【図１】
2005096833.tif 000003
【図２】
2005096833.tif 000004
【図３】
2005096833.tif 000005
【図４】
2005096833.tif 000006
【図５】
2005096833.tif 000007